(57)【要約】【課題】適切に足を固定することができる靴を提供し、特に、個人差や右足と左足の差異があっても適切に足を固定することができる靴を提供するとともに、成長期の人間が使用する場合にも適した靴を提供する。【解決手段】靴Ａ１の甲革部２０における足の甲に当たる位置に、挿通穴２４ａ等が設けられ、この挿通穴２４ａ等にベルト状部４０が設けられている。このベルト状部４０は、閉ループ状を呈し、その内径を調整できるようになっている。足は、このベルト状部４０と、靴Ａ１の踵位置とで固定されることになる。【選択図】　　　　図２
2004049738.tif 000002
【特許請求の範囲】
【請求項１】
履き物であって、
足の少なくとも甲の領域を被覆するための甲革部と、
甲革部における上部の領域で、足の甲に対応する領域に取り付けられベルト状部で、該履き物を履いた状態では、少なくとも、足の両側部の一部と足の裏の一部を包むためのベルト状部と、
足の踵を保持する踵保持部と、
を有することを特徴とする履き物。
【請求項２】
上記甲革部には挿通穴が設けられていて、上記ベルト状部の一方の端部が甲革部の内部において甲革部に固着され、また、ベルト状部の他方の端部が該挿通穴から露出しており、また、履き物には、該ベルト状部の他方の端部を甲革部に固定するための固着手段が設けられていることを特徴とする請求項１に記載の履き物。
【請求項３】
履き物であって、
足の少なくとも甲の領域を被覆するための甲革部と、
甲革部における上部の領域で、足の甲に対応する領域に取り付けられベルト状部で、全体で閉ループ状を呈し、該ベルト状部の一部が甲革部の外部に露出しているベルト状部と、
足の踵を保持する踵保持部と、
を有することを特徴とする履き物。
【請求項４】
上記履き物が靴であり、上記甲革部が、足のつま先から踵までを被覆する形状を有していることを特徴とする請求項１又は２又は３に記載の履き物。
【請求項５】
上記ベルト状部が、全体で閉ループ状を呈し、該ベルト状部の一部が甲革部の外部に露出していることを特徴とする請求項１又は４に記載の履き物。
【請求項６】
上記ベルト状部は、上記ベルト状部の内径を調整するための調整部を有することを特徴とする請求項１又は３又は４又は５に記載の履き物。
【請求項７】
上記ベルト状部における甲革部内に存在する部分である甲革部内構成部と、該甲革部内構成部の端部間に存在する甲革部の一部とで形成される空間部の大きさを調整するための調整部が設けられていることを特徴とする請求項１又は２又は３又は４又は５に記載の履き物。
【請求項８】
靴としての履き物であって、
足のつま先から踵までを被覆する形状を有している甲革部と、
該甲革部における上部の領域で、足の甲に対応する領域に取り付けられベルト状部で、全体で閉ループ状を呈し、該ベルト状部の一部が甲革部の外部に露出しているベルト状部で、該ベルト状部の内径を調整するための調整部を有するベルト状部と、
を有することを特徴とする履き物。
【請求項９】
上記甲革部に一対の挿通穴が設けられ、上記ベルト状部を該挿通穴に挿通することにより、上記ベルト状部が甲革部に取り付けられていることを特徴とする請求項１又は３又は４又は５又は６又は７又は８に記載の履き物。
【請求項１０】
上記甲革部に一対の切込み部又は切欠部が設けられ、上記ベルト状部を該切込み部又は切欠部に挿通することにより、上記ベルト状部が甲革部に取り付けられていることを特徴とする請求項１又は３又は４又は５又は６又は７又は８に記載の履き物。
【発明の詳細な説明】
【０００１】
【発明の属する技術分野】
本発明は、靴等の履き物に関するものである。
【０００２】
【従来の技術】
従来より靴は、一般的に、底部と、中底部と、甲革部とから構成されている。ここで、甲革部とは、底部上に設けられていて、足をカバーする部分全体を指すものである。そして、従来の靴においては、足は、主として、靴の踵（かかと）部分（つまり、甲革の踵部分）と、甲革の前側の部分とで固定されるようになっている。ここで、甲革の前側の部分としては、特に、足の甲が接触する部分と、足のつま先側の両側の部分と、つま先の先端部分等が挙げられる。
【０００３】
【発明が解決しようとする課題】
しかし、従来の靴においては、甲革の踵部分と、甲革の前側の部分とで足を固定することから、それらの部分において一カ所でも不具合があると適切に足を固定することができないという問題があった。例えば、甲革の踵部分としては、踵のアキレス腱に当たる部分の深さ（つまり、該部分の前方への傾斜具合）や、甲革の踵内側への回り具合（つまり、甲革の踵側の両側における括れ具合）等において１つでも不具合があると、適切に足を固定することができない。また、甲革の前側の部分としては、甲革における甲の高さや足幅等に不具合があると、適切に足を固定することができない。このように適切に足を固定することができない場合には、靴がきつい、又は、靴が大きい等と表現されることになる。
【０００４】
特に、人間の足の形状、大きさには個人差があり、そのような個人差のある足の形状、大きさに合わせて適切な靴を提供することは従来のタイプの靴においては無理があった。さらに、一人の人間においても、右足と左足とでは形状、大きさは同一ではなく、従来の靴では両足とも同一の形状、大きさの靴とするのが通常であることから、従来のタイプの靴においては、適切に足を固定するのには無理があった。
【０００５】
このように、適切に足を固定できない場合には、使用者は足に痛みを感じ、足の変形や疾病につながるおそれがある。また、足に痛みを感じない場合でも、絶えず足に無理な力が掛かる状態の場合にも、足の変形や疾病につながるおそれがある。
【０００６】
また、従来のタイプの靴においては、上記のように、甲革の踵部分と、甲革の前側の部分とで足を固定することから、幼児や児童等の成長期の人間において、足が成長するとすぐに靴がきつくなってしまう。すると、短期間使用するのみで靴を買い換える必要があり、他方、買い換えを控えるために大きめの靴を使用すると、足を適切に固定できず、つまづいたり、転んだりするおそれもあった。
【０００７】
さらに、従来の靴において、踵の部分のないタイプのものにおいては、もともと適切に足を固定することができないという問題があった。つまり、踵の部分のないタイプの靴においては、つま先側の部分、つまり、足の甲に接触する部分等で固定する他なく、適切に足を固定することができなかった。
【０００８】
そこで、本発明は、適切に足を固定することができる靴を提供することを目的とするものであり、特に、個人差や右足と左足の差異があっても適切に足を固定することができる靴を提供するとともに、成長期の人間が使用する場合にも適した靴を提供することを目的とするものである。
【０００９】
【課題を解決するための手段】
本発明は上記問題点を解決するために創作されたものであって、第１には、履き物であって、足の少なくとも甲の領域を被覆するための甲革部と、甲革部における上部の領域で、足の甲に対応する領域に取り付けられベルト状部で、該履き物を履いた状態では、少なくとも、足の両側部の一部と足の裏の一部を包むためのベルト状部と、足の踵を保持する踵保持部と、を有することを特徴とする。
【００１０】
この第１の構成の履き物においては、上記ベルト状部と踵保持部とを有していることから、該ベルト状部と該踵保持部により足を固定することができ、個人差や右足と左足の差異があっても適切に足を固定することができる。また、甲革部で足のつま先側を固定する必要がなく、甲革部の甲の高さや、甲革部のつま先側の形状が足にぴったり接しなくてもよく、甲革部のつま先側は若干大きめにしておくことができるので、足のつま先に傷害が生じるおそれがない。また、甲革部のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。また、上記のように、足のつま先側は、ベルト状部により固定され、甲革部により固定する必要がないので、甲革部のつま先側をソフトで伸縮性に富む素材で形成することが可能となる。甲革部のつま先側をソフトで伸縮性に富む素材とすることにより、足のつま先に傷害が生じるのを防止することができる。
【００１１】
また、第２には、上記第１の構成において、上記甲革部には挿通穴が設けられていて、上記ベルト状部の一方の端部が甲革部の内部において甲革部に固着され、また、ベルト状部の他方の端部が該挿通穴から露出しており、また、履き物には、該ベルト状部の他方の端部を甲革部に固定するための固着手段が設けられていることを特徴とする。よって、靴を履いた後にベルト状部の他方の端部を適度に引っ張り、その後、該端部を甲革部に固着することにより、足を適切に固定することができる。
【００１２】
また、第３には、履き物であって、足の少なくとも甲の領域を被覆するための甲革部と、甲革部における上部の領域で、足の甲に対応する領域に取り付けられベルト状部で、全体で閉ループ状を呈し、該ベルト状部の一部が甲革部の外部に露出しているベルト状部と、足の踵を保持する踵保持部と、を有することを特徴とする履き物。
【００１３】
この第３の構成の履き物においては、上記ベルト状部と踵保持部とを有していることから、該ベルト状部と該踵保持部により足を固定することができ、個人差や右足と左足の差異があっても適切に足を固定することができる。また、甲革部で足のつま先側を固定する必要がなく、甲革部の甲の高さや、甲革部のつま先側の形状が足にぴったり接しなくてもよく、甲革部のつま先側は若干大きめにしておくことができるので、足のつま先に傷害が生じるおそれがない。また、甲革部のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。また、上記のように、足のつま先側は、ベルト状部により固定され、甲革部により固定する必要がないので、甲革部のつま先側をソフトで伸縮性に富む素材で形成することが可能となる。甲革部のつま先側をソフトで伸縮性に富む素材とすることにより、足のつま先に傷害が生じるのを防止することができる。
【００１４】
また、第４には、上記第１から第３までのいずれかの構成において、上記履き物が靴であり、上記甲革部が、足のつま先から踵までを被覆する形状を有していることを特徴とする。この場合には、靴の踵の部分が、上記踵保持部として機能することになる。
【００１５】
また、第５には、上記第１又は第４の構成において、上記ベルト状部が、全体で閉ループ状を呈し、該ベルト状部の一部が甲革部の外部に露出していることを特徴とする。
【００１６】
また、第６には、上記第１又は第３から第４までのいずれかの構成において、上記ベルト状部は、上記ベルト状部の内径を調整するための調整部を有することを特徴とする。よって、この調整部により、足を適度に締め付けることができ、足を適切に固定することが可能となる。
【００１７】
また、第７には、上記第１から第５までのいずれかの構成において、上記ベルト状部における甲革部内に存在する部分である甲革部内構成部と、該甲革部内構成部の端部間に存在する甲革部の一部とで形成される空間部の大きさを調整するための調整部が設けられていることを特徴とする。よって、この調整部により、足を適度に締め付けることができ、足を適切に固定することが可能となる。
【００１８】
また、第８には、靴としての履き物であって、足のつま先から踵までを被覆する形状を有している甲革部と、該甲革部における上部の領域で、足の甲に対応する領域に取り付けられベルト状部で、全体で閉ループ状を呈し、該ベルト状部の一部が甲革部の外部に露出しているベルト状部で、該ベルト状部の内径を調整するための調整部を有するベルト状部と、を有することを特徴とする。
【００１９】
この第８の構成の履き物においては、上記甲革部が踵を被覆する形状を有し、また、ベルト状部が設けられていることから、これらにより足を固定することができ、個人差や右足と左足の差異があっても適切に足を固定することができる。特に、上記調整部が設けられているので、足を適度に締め付けることができ、足を適切に固定することが可能となる。また、甲革部で足のつま先側を固定する必要がなく、甲革部の甲の高さや、甲革部のつま先側の形状が足にぴったり接しなくてもよく、甲革部のつま先側は若干大きめにしておくことができるので、足のつま先に傷害が生じるおそれがない。また、甲革部のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。また、上記のように、足のつま先側は、ベルト状部により固定され、甲革部により固定する必要がないので、甲革部のつま先側をソフトで伸縮性に富む素材で形成することが可能となる。甲革部のつま先側をソフトで伸縮性に富む素材とすることにより、足のつま先に傷害が生じるのを防止することができる。
【００２０】
また、第９には、上記第１又は第３から第８までのいずれかの構成において、上記甲革部に一対の挿通穴が設けられ、上記ベルト状部を該挿通穴に挿通することにより、上記ベルト状部が甲革部に取り付けられていることを特徴とする。
【００２１】
また、第１０には、上記第１又は第３から第８までのいずれかの構成において、上記甲革部に一対の切込み部又は切欠部が設けられ、上記ベルト状部を該切込み部又は切欠部に挿通することにより、上記ベルト状部が甲革部に取り付けられていることを特徴とする。
【００２２】
【発明の実施の形態】
本発明の実施の形態としての実施例を図面を利用して説明する。本発明に基づく履き物としての第１実施例の靴Ａ１は、図１〜図４に示すように、靴本体５と、ベルト状部４０と、中敷き部５０と、を有している。
【００２３】
ここで、靴本体５は、底部１０と、中底部１５と、甲革部２０と、舌革部３０と、を有している。
【００２４】
ここで、底部１０は、いわゆる靴底を構成するものであり、つま先位置から踵位置まで形成されている。また、中底部１５は、靴の内側の底部を構成するものである。
【００２５】
また、甲革部２０は、該底部１０上に設けられていて、靴を履いた状態では、中底部１５上の足をつま先位置から踵位置にまでカバーする機能を有している。この甲革部２０をつま先位置側から踵位置側にかけて複数の領域に分けて捉えると、つま先位置領域２２ａと、甲位置領域２２ｂと、踝（くるぶし）位置領域２２ｃと、踵位置領域２２ｄとから構成されているといえる。靴Ａ１において、踵を保持する部分、つまり、中底部１５の踵位置と甲革部２０の踵位置領域２２ｄとが上記特許請求の範囲における踵保持部に当たる。
【００２６】
また、舌革部３０は、舌片状を呈し、該甲革部２０の内側に設けられている。つまり、甲革部２０における甲位置領域２２ｂの上部領域の内側に該舌革部３０が設けられている。
【００２７】
また、ベルト状部４０は、ベルト状を呈し、その大部分が靴Ａ１の内部に設けられている。このベルト状部４０は、全体に閉ループ状を呈している。具体的には、ベルト状部４０は、図２〜図５に示すように、ベルト本体部４２と、留め具４４とを有している。このベルト本体部４２は、平面状を呈する底部４２ａと、該底部４２ａの両側から立設した側部４２ｂ、４２ｃと、側部４２ｂの端部から連設された先端部４２ｄと、側部４２ｃの端部から連設された先端部４２ｅとを有している。側部４２ｂと側部４２ｃは、底部４２ａから上側に行くに従い幅狭となる形状を呈していて、側部４２ｂと側部４２ｃは、若干異なる形状を呈している。また、先端部４２ｄと先端部４２ｅは、帯状を呈していて、先端部４２ｄは、先端部４２ｅよりも長く形成されている。このベルト本体部４２は、全体に一体に構成されている。留め具４４は、先端部４２ｅの端部を固定するとともに、先端部４２ｄを挿通するためのものであり、リング状（具体的には、細長リング状）を呈していて、該留め具４４に挿通された先端部４２ｄの先端側は、折り返されて先端部４２ｄの後端側に積層された状態となっている。この先端部４２ｄには、先端部４２ｄの先端側と後端側とを着脱するための固着手段４６であって、フックテープとループテープとからなる固着手段４６が設けられている（図４参照）。この先端部４２ｄにおける固着位置を調整することにより、ベルト状部４０の内径を調整することが可能となる。なお、先端部４２ｅの端部は、留め具４４に挿通して折り返された状態で固定されている。このような先端部４２ｄの構造と留め具４４とが、上記特許請求の範囲における調整部に当たる。
【００２８】
このベルト状部４０の甲革部２０への取付け状態としては、甲革部２０にベルト状部４０を挿通するための一対の挿通穴２４ａ、２４ｂが設けられていて、この挿通穴２４ａ、２４ｂにベルト状部４０が挿通されている。つまり、甲革部２０における上記甲位置領域２２ｂのＸ方向（図３参照）における中心位置を介した両側（例えば、略対称位置）に挿通穴２４ａと挿通穴２４ｂが設けられ、この挿通穴２４ａと挿通穴２４ｂに、ベルト本体部４２が挿通されている。ベルト状部４０が甲革部２０に取り付けられた状態では、ベルト本体部４２における先端部４２ｄと先端部４２ｅとが外部に露出していることになる。
【００２９】
このベルト状部４０の甲革部２０への装着の仕方としては、ベルト状部４０を靴本体５内に配置した状態で、先端部４２ｄを挿通穴２４ａから露出させるとともに、先端部４２ｅ及び留め具４４を挿通穴２４ｂから露出させ、先端部４２ｄを留め具４４に挿通した後に折り返して先端部４２ｄの先端側と後端側とを固定する。なお、留め具４４を挿通穴２４ｂを通すことが困難な場合には、先端部４２ｅを挿通穴２４ｂから露出させた後に、留め具４４を先端部４２ｅに取り付けるようにしてもよい。ベルト状部４０を甲革部２０に装着した状態では、ベルト状部４０は、甲革部２０にブランコ状に吊り下げた状態となっている。
【００３０】
なお、ベルト状部４０は、図５に示すような構成であるとしたが、帯状形状を呈し、閉ループ形状のものであればよい。ただし、足との接触面積を大きくするためには、図５に示すような形状であることが好ましい。
【００３１】
また、中敷き部５０は、シート状を呈し、靴Ａ１の内部に設けられている。つまり、この中敷き部５０は、足型を呈し、靴Ａ１の内部にぴったりとはまりこむ形状を呈している。この中敷き部５０は、通常の中敷きと同様の構成である。なお、この中敷き部５０は、靴Ａ１に装着された状態では、ベルト本体部４２の底部４２ａの上に積層した状態で設けられる。つまり、中敷き部５０は、ベルト状部４０に挿通した状態で靴Ａ１内に設けられている。
【００３２】
上記構成の靴Ａ１の使用状態について説明する。靴Ａ１を履く場合には、従来からの靴と同様に、甲革部２０の開口部Ｋに足を入れた後、ベルト状部４０に足を入れることにより、足に靴Ａ１を装着する。靴Ａ１を履く際には、ベルト状部４０を緩めた状態にしておくことが好ましい。靴Ａ１を履いた状態では、足はベルト状部４０に挿通した状態となっていて、ベルト状部４０に挿通されている中敷き部５０と、ベルト状部４０における側部４２ｂ、４２ｃとが、足に接触した状態となっている。靴Ａ１内に足を配置したら、先端部４２ｄを調整することによりベルト状部４０による締付け具合を調整して、ベルト状部４０が足にぴったりと接触するようにする。靴Ａ１を履いた状態では、図６に示すような状態となる。つまり、先端部４２ｄの先端側を後端側から脱した状態で先端部４２ｄを適度に引っ張り、ベルト本体部４２が足にぴったりと接触した状態となった際に、先端部４２ｄの先端側を後端側に固着させて固定する。つまり、このベルト本体部４２により、足の足囲を一周するようにして足の甲の位置と土踏まずの位置を直接包んだ状態とし、該ベルト状部４０が挿通穴２４ａ、２４ｂに挿通された状態となっていることによって、結果として、足を甲革部２０に固定する構造となっている。また、足の踵側は、甲革部２０における踵位置領域２２ｄにより固定されるので、靴Ａ１によれば、足は、ベルト状部４０と、靴Ａ１の踵部分により固定されることになる。
【００３３】
本実施例の靴Ａ１によれば、上記ベルト状部４０が設けられているので、該ベルト状部４０と、靴Ａ１の踵部分により足を固定することになり、個人差や右足と左足の差異があっても適切に足を固定することができる。また、甲革部２０で足のつま先側を固定する必要がなく、甲革部２０の甲の高さや、甲革部２０のつま先側の形状が足にぴったり接しなくてもよく、甲革部２０のつま先側は若干大きめにしておくことができるので、足のつま先に傷害が生じるおそれがない。また、甲革部２０のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。
【００３４】
また、上記のように、足のつま先側は、ベルト状部４０により固定され、甲革部２０により固定する必要がないので、甲革部２０のつま先側（特に、つま先位置領域２２ａ）をソフトで伸縮性に富む素材で形成することが可能となる。甲革部２０のつま先側をソフトで伸縮性に富む素材とすることにより、足のつま先に傷害が生じるのを防止することができる。
【００３５】
また、本実施例の靴Ａ１によれば、靴の軽量化を図ることも可能となる。つまり、従来の靴における底部は、甲革部とともに足を包み込む目的があるため、底部も甲革部との固着強度等の点から所定の強度を必要とし、これによりある程度の重量を必要としたが、本実施例の靴Ａ１によれば、底部１０は甲革部２０とそれほど強い固着強度を要せず、これにより、底部１０の重量も極限にまで軽量化することが可能となる。
【００３６】
本実施例の靴によれば、上記のように、靴のホールド性が高く、軽量化を図ることができるので、通常の靴は勿論、陸上競技等の競技用靴にも適している。
【００３７】
また、本実施例の靴においては、既存の靴製造設備をそのまま利用できるので、新たな設備投資が必要ないという利点がある。
【００３８】
上記ベルト状部４０の他の例について説明する。図７（ａ）に示すベルト状部１４０は、上記第１実施例におけるベルト状部４０と比べると、ベルト状部による締付け具合を調整する固着手段として紐を用いるとともに、先端部同士が重ならない点が異なる。
【００３９】
つまり、ベルト状部１４０は、図７（ａ）に示すように、ベルト本体部１４２と、紐部１４６とを有している。このベルト本体部１４２は、平面状を呈する底部１４２ａと、該底部１４２ａの両側から立設した側部１４２ｂ、１４２ｃと、側部１４２ｂの端部から連設された先端部１４２ｄと、側部１４２ｃの端部から連設された先端部１４２ｅとを有している。側部１４２ｂと側部１４２ｃは、底部１４２ａから上側に行くに従い幅狭となる形状を呈していて、側部１４２ｂと側部１４２ｃは、若干異なる形状を呈している。また、先端部１４２ｄは、幅狭の幅狭部１４２ｄ−１と、幅広の幅広部１４２ｄ−２とを有している。つまり、先端部１４２ｄにおいて、挿通穴２４ａに挿通できるようにするために幅狭部１４２ｄ−１の部分は幅狭に形成されている。先端部１４２ｅも先端部１４２ｄと同様に形成されていて、先端部１４２ｅは、幅狭の幅狭部１４２ｅ−１と、幅広の幅広部１４２ｅ−２とを有している。つまり、先端部１４２ｅにおいて、挿通穴２４ｂに挿通できるようにするために幅狭部１４２ｅ−１は幅狭に形成されている。また、幅広部１４２ｄ−２、１４２ｅ−２には、紐部１４６を通すための穴部が複数設けられている。また、紐部１４６は、いわゆる靴紐であり、幅広部１４２ｄ−２と幅広部１４２ｅ−２間に設けられている。この紐部１４６の締付け具合を調整することにより、ベルト状部の足への締付け具合を調整することができる。つまり、この紐部は、上記特許請求の範囲における調整部として機能する。なお、このベルト状部１４０の甲革部２０への装着の仕方としては、上記第１実施例の場合と同様であるが、先端部１４２ｄ、１４２ｅにおける幅広部１４２ｄ−２、１４２ｅ−２が挿通穴２４ａ、２４ｂの大きさよりも大きく形成されているので、幅広部１４２ｄ−２、１４２ｅ−２を小さく折り畳む等して挿通させる。幅広部１４２ｄ−２、１４２ｅ−２をベルト本体部１４２とは別に形成しておき、ベルト本体部を靴内に設置して、幅狭部１４２ｄ−１、１４２ｅ−１を挿通穴２４ａ、２４ｂを通して露出させた後に、該幅狭部１４２ｄ−１、１４２ｅ−１の端部に幅広部１４２ｄ−２、１４２ｅ−２を取り付けるようにしてもよい。
【００４０】
次に、図７（ｂ）に示すベルト状部２４０は、上記第１実施例におけるベルト状部４０と比べると、ベルト状部による締付け具合を調整する固着手段として、２本の帯状部を用いるとともに、先端部同士が重ならない点が異なる。
【００４１】
つまり、ベルト状部２４０は、図７（ｂ）に示すように、ベルト本体部２４２と、帯状部２４６とを有している。このベルト本体部２４２は、平面状を呈する底部２４２ａと、該底部２４２ａの両側から立設した側部２４２ｂ、２４２ｃと、側部２４２ｂの端部から連設された先端部２４２ｄと、側部２４２ｃの端部から連設された先端部２４２ｅとを有している。側部２４２ｂと側部２４２ｃは、底部２４２ａから上側に行くに従い幅狭となる形状を呈していて、側部２４２ｂと側部２４２ｃは、若干異なる形状を呈している。また、先端部２４２ｄは、幅狭の幅狭部２４２ｄ−１と、幅広の幅広部２４２ｄ−２とを有している。つまり、先端部２４２ｄにおいて、挿通穴２４ａに挿通できるようにするために幅狭部２４２ｄ−１は幅狭に形成されている。先端部２４２ｅも先端部２４２ｄと同様に形成されていて、先端部２４２ｅは、幅狭の幅狭部２４２ｅ−１と、幅広の幅広部２４２ｅ−２とを有している。つまり、先端部２４２ｅにおいて、挿通穴２４ｂに挿通できるようにするために幅狭部２４２ｅ−１は幅狭に形成されている。また、帯状部２４６は、帯状を呈する部材であり、一対の帯状部２４６が設けられている。帯状部２４６の先端部２４２ｅ側の端部は、幅広部２４２ｅ−２に固着され、また、該帯状部２４６と幅広部２４２ｄ−２とは、着脱自在となっている。例えば、帯状部２４６に、固着手段を構成するフックテープとループテープのうちの一方を設けるとともに、幅広部２４２ｄ−２に、他方を設けることにより、着脱自在となっている。この帯状部２４６の幅広部２４２ｄ−２に対する取付け位置を調整することにより、ベルト状部２４０の内径を調整することができる。該帯状部２４６と該固着手段とで、上記特許請求の範囲における調整部が構成される。なお、このベルト状部２４０の甲革部２０への装着の仕方としては、上記第１実施例の場合と同様であるが、先端部２４２ｄ、２４２ｅにおける幅広部２４２ｄ−２、２４２ｅ−２が挿通穴２４ａ、２４ｂの大きさよりも大きく形成されているので、幅広部２４２ｄ−２、２４２ｅ−２を小さく折り畳む等して挿通させる。幅広部２４２ｄ−２、２４２ｅ−２をベルト本体部２４２とは別に形成しておき、ベルト本体部を靴内に設置して、幅狭部２４２ｄ−１、２４２ｅ−１を挿通穴２４ａ、２４ｂを通して露出させた後に、該幅狭部２４２ｄ−１、２４２ｅ−１の端部に幅広部２４２ｄ−２、２４２ｅ−２を取り付けるようにしてもよい。
【００４２】
なお、図７（ａ）に示すベルト状部１４０と図７（ｂ）に示すベルト状部２４０においては、ベルト本体部自体は、上端位置に隙間が存在するために閉ループ状とはいえないが、ベルト状部１４０における紐部１４６や、ベルト状部２４０における帯状部２４６が設けられていることにより、ベルト状部全体としては、閉ループ状であるといえる。
【００４３】
次に、本発明の履き物としての第２実施例の靴Ａ２について説明する。第２実施例における靴Ａ２は、上記第１実施例の靴Ａ１と略同様の構成であるが、甲革部に挿通穴ではなく、切込みを設けることにより、この切込みにベルト状部を取り付ける構造となっている。
【００４４】
すなわち、第２実施例の靴Ａ２は、図８、図９に示すように、靴本体１０５と、ベルト状部３４０と、中敷き部１５０と、を有している。
【００４５】
ここで、靴本体１０５の構成は、上記第１実施例における靴本体５と同様の構成であるが、挿通穴２４ａ、２４ｂの代わりに、切込み部１２４ａ等が設けられている点が異なる。
【００４６】
つまり、靴本体１０５は、底部１１０と、中底部１１５と、甲革部１２０と、を有している。
【００４７】
ここで、底部１１０は、いわゆる靴底を構成するものであり、つま先位置から踵位置まで形成されている。また、中底部１１５は、靴の内側の底部を構成するものである。
【００４８】
また、甲革部１２０は、該底部１１０上に設けられていて、靴を履いた状態では、中底部１１５上の足をつま先位置から踵位置にまでカバーする機能を有している。この甲革部１２０をつま先位置側から踵位置側にかけて複数の領域に分けて捉えると、つま先位置領域１２２ａと、甲位置領域１２２ｂと、踝（くるぶし）位置領域１２２ｃと、踵位置領域１２２ｄとから構成されているといえる。靴Ａ２において、踵を保持する部分、つまり、中底部１１５の踵位置と甲革部１２０の踵位置領域１２２ｄとが上記特許請求の範囲における踵保持部に当たる。
【００４９】
また、この甲革部１２０の甲位置領域１２２ｂには、靴本体１０５における足を入れるための開口部Ｋから前方に伸びた切込み部が設けられている。つまり、図８、図９（ｂ）に示すように、靴Ａ２の平面視における左側には、切込み部１２４ａが設けられ、また、靴本体１０５における切込み部１２４ａが設けられている側と反対側には、切込み部（図示せず）が設けられている。この一対の切込み部により挟まれる領域が舌状部１２８として形成される。この舌状部１２８の開口部Ｋ側の端部の切込み部に臨む側には、舌片部１２６が設けられている。つまり、舌状部１２８の両側に、切込み部を跨ぐように舌片部１２６が設けられている。図８、図９には、一方の側の舌片部１２６のみ図示されているが、反対側にも舌片部が設けられている。この舌片部１２６には、固着手段が設けられている。該舌片部１２６が取り付けられている側と反対側の甲革部１２０の位置にも固着手段が設けられていて、両固着手段同士は互いに着脱自在に構成されている。この固着手段としては、例えば、ホックが挙げられる。この舌片部１２６は、切込み部の導入口を閉鎖することにより、該切込み部に設けられたベルト状部３４０の脱落を防止するために設けられている。また、上記のように、両固着手段同士を互いに着脱自在に構成することにより、舌片部１２６の一方の端部が甲革部１２０に対して着脱自在となり、ベルト状部３４０の甲革部１２０への装着が容易となる。なお、上記両固着手段同士は互いに着脱自在としない構成としてもよい。また、上記の説明では、甲革部１２０に一対の切込み部が設けられているとして説明したが、切込み部の代わりに切欠部としてもよい。
【００５０】
また、ベルト状部３４０は、ベルト状を呈し、その大部分が、靴Ａ２の内部に設けられている。
【００５１】
このベルト状部３４０は、図８、図９に示すように、ベルト本体部３４２と、紐部３４６とを有している。このベルト本体部３４２は、平面状を呈する底部３４２ａと、該底部３４２ａの両側から立設した側部３４２ｂ、３４２ｃと、側部３４２ｂの端部から連設された先端部３４２ｄと、側部３４２ｃの端部から連設された先端部３４２ｅとを有している。側部３４２ｂと側部３４２ｃは、底部３４２ａから上側に行くに従い幅狭となる形状を呈していて、側部３４２ｂと側部３４２ｃは、若干異なる形状を呈している。また、先端部３４２ｄと先端部３４２ｅは、前後方向に細長の形状を呈し、略楕円形状を半分に欠切したような形状を呈している。この先端部３４２ｄと先端部３４２ｅとは、軸線を介して左右略対称の形状を呈している。また、紐部３４６は、いわゆる靴紐であり、先端部３４２ｄと先端部３４２ｅ間に設けられている。このベルト状部３４０は、ベルト本体部における左右の部材を紐で締結する点では、上記図７（ａ）に示すベルト状部１４０と同様の構成であるといえる。
【００５２】
このベルト状部３４０の靴本体１０５への取付け状態としては、ベルト本体部を甲革部１２０に設けられた切込み部に挿通した後に、舌片部１２６を固定させて取り付ける。つまり、側部３４２ｂと先端部３４２ｄの境界位置を切込み部１２４ａ内に挿通するとともに、側部３４２ｃと先端部３４２ｅの境界位置を他方の切込み部内に挿通し、２つの舌片部１２６を固定させることにより、ベルト状部３４０を靴本体１０５に固定する。
【００５３】
なお、ベルト状部３４０は、図８、図９に示すような構成であるとしたが、帯状形状を呈し、閉ループ形状であって、一対の切込み部に挿通可能なものであればよい。ただし、足との接触面積を大きくするためには、図８、図９に示すような形状であることが好ましい。また、上記第１実施例のベルト状部や、図７に示すようなベルト状部を用いてもよい。
【００５４】
また、中敷き部１５０は、上記第１実施例の中敷き部５０と同様の構成である。つまり、中敷き部１５０は、シート状を呈し、靴Ａ２の内部に設けられている。つまり、この中敷き部１５０は、足型を呈し、靴Ａ２の内部にぴったりとはまりこむ形状を呈している。この中敷き部１５０は、通常の中敷きと同様の構成である。なお、この中敷き部１５０は、靴Ａ２に装着された状態では、ベルト本体部３４２の底部３４２ａの上に積層した状態で設けられる。つまり、中敷き部１５０は、ベルト状部３４０に挿通した状態で靴Ａ２内に設けられている。なお、図９においは、中敷き部１５０は省略して図示している。
【００５５】
上記構成の靴Ａ２の使用状態について説明する。靴Ａ２を履く場合には、従来からの靴と同様に、甲革部１２０の開口部Ｋに足を入れて、ベルト状部３４０に足を入れることにより、足に靴Ａ２を装着する。靴Ａ２を履く際には、紐部３４６を緩めて、ベルト状部３４０を緩めた状態にしておくことが好ましい。靴Ａ２を履いた状態では、足はベルト状部３４０に挿通した状態となっていて、ベルト状部３４０に挿通されている中敷き部１５０と、ベルト状部３４０における側部３４２ｂ、３４２ｃとが、足に接触した状態となっている。靴Ａ２内に足を配置したら、紐部３４６による締結具合を調整して、ベルト状部３４０が足にぴったりと接触するようにする。つまり、このベルト本体部３４２により、足の足囲を一周するようにして足の甲の位置と土踏まずの位置を直接包んだ状態とし、該ベルト状部３４０が切込み部に挿通された状態となっていることによって、結果として、足を甲革部１２０に固定する構造となっている。また、足の踵側は、甲革部１２０における踵位置領域１２２ｄにより固定されるので、靴Ａ２によれば、足は、ベルト状部３４０と、靴Ａ２の踵部分により固定されることになる。
【００５６】
本実施例の靴Ａ２によれば、上記ベルト状部３４０が設けられているので、該ベルト状部３４０と、靴Ａ２の踵部分により足を固定することになり、個人差や右足と左足の差異があっても適切に足を固定することができる。また、甲革部１２０で足のつま先側を固定する必要がなく、甲革部１２０の甲の高さや、甲革部１２０のつま先側の形状が足にぴったり接しなくてもよく、甲革部１２０のつま先側は若干大きめにしておくことができるので、足のつま先に傷害が生じるおそれがない。また、甲革部１２０のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。
【００５７】
また、上記のように、足のつま先側は、ベルト状部３４０により固定され、甲革部１２０により固定する必要がないので、甲革部１２０のつま先側（特に、つま先位置領域１２２ａ）をソフトで伸縮性に富む素材で形成することが可能となる。甲革部１２０のつま先側をソフトで伸縮性に富む素材とすることにより、足のつま先に傷害が生じるのを防止することができる。
【００５８】
また、本実施例の靴Ａ２によれば、靴の軽量化を図ることも可能となる。つまり、従来の靴における底部は、甲革部とともに足を包み込む目的があるため、底部も甲革部との固着強度等の点から所定の強度を必要とし、これによりある程度の重量を必要としたが、本実施例の靴Ａ２によれば、底部１１０は甲革部１２０とそれほど強い固着強度を要せず、これにより、底部１１０の重量も極限にまで軽量化することが可能となる。
【００５９】
本実施例の靴によれば、上記のように、靴のホールド性が高く、軽量化を図ることができるので、通常の靴は勿論、陸上競技等の競技用靴にも適している。
【００６０】
また、本実施例の靴においては、既存の靴製造設備をそのまま利用できるので、新たな設備投資が必要ないという利点がある。
【００６１】
次に、本発明の履き物としての第３実施例の靴Ａ３について説明する。第３実施例における靴Ａ３は、上記第１実施例、第２実施例とは異なり、踵のないタイプである。
【００６２】
すなわち、第３実施例の靴Ａ３は、図１０に示すように、靴本体２０５と、ベルト状部４４０と、を有している。
【００６３】
ここで、靴本体２０５は、底部２１０と、中底部２１５と、甲革部２２０と、踵用ベルト部２３０と、を有している。
【００６４】
ここで、底部２１０は、いわゆる靴底を構成するものであり、つま先位置から踵位置まで形成されている。また、中底部２１５は、靴の内側の底部を構成するものである。
【００６５】
また、甲革部２２０は、該底部２１０上に設けられていて、靴を履いた状態では、中底部２１５上の足の甲の部分をカバーする機能を有している。つまり、この甲革部２２０は、前側については、つま先を除く位置から、後側については、足の甲の後端位置までをカバーするものであり、足のつま先や、足の踝の位置や踵は、この甲革部２２０によってはカバーされない。
【００６６】
また、ベルト状部４４０は、ベルト状を呈し、その大部分が、甲革部２２０の内部に設けられている。このベルト状部４４０は、上記第１実施例のベルト状部４０と同様の構成となっている。
【００６７】
つまり、ベルト状部４４０は、全体に閉ループ状を呈している。具体的には、ベルト状部４４０は、図１０に示すように、ベルト本体部４４２と、留め具とを有している。このベルト本体部４４２は、上記第１実施例におけるベルト本体部４２と同様の構成であり、また、該留め具は、上記第１実施例における留め具４４と同様の構成であるので、その詳しい説明を省略する。
【００６８】
このベルト状部４４０の甲革部２２０への取付け状態としては、甲革部２２０にベルト状部４４０を挿通するための一対の挿通穴２２４ａ等が設けられていて、この一対の挿通穴２２４ａ等にベルト状部４４０が挿通されている。つまり、甲革部２２０における中心位置を介した略対称位置（好適には対称位置）に一対の挿通穴が設けられ、この一対の挿通穴のうち、一方の挿通穴が挿通穴２２４ａである。そして、この一対の挿通穴に、ベルト本体部４４２が挿通されている。ベルト状部４４０が甲革部２２０に取り付けられた状態では、ベルト本体部４４２における先端部が外部に露出していることになる。
【００６９】
このベルト状部４４０の甲革部２２０への装着の仕方も、上記第１実施例と同様であり、ベルト状部４４０を甲革部２２０内に配置した状態で、先端部を挿通穴２２４ａ等から露出させるとともに、一方の先端部を留め具に挿通した後に折り返して該先端部の先端側と後端側とを固定する。
【００７０】
なお、ベルト状部４４０は、図１０に示すような構成であるとしたが、帯状形状を呈し、閉ループ形状のものであればよい。ただし、足との接触面積を大きくするためには、図１０に示すような形状であることが好ましい。
【００７１】
また、踵用ベルト部２３０は、帯状を呈し、該踵用ベルト部２３０の両側の各端部は、甲革部２２０の両側に固着されている。これにより、踵用ベルト部２３０は、Ｕ字状を呈している。なお、この踵用ベルト部２３０の一方の端部を甲革部２２０に対して着脱自在としてもよい。この踵用ベルト部２３０は、上記特許請求の範囲における踵保持部として機能する。
【００７２】
上記構成の靴Ａ３の使用状態について説明する。靴Ａ３を履く場合には、該踵用ベルト部２３０と甲革部２２０により形成される空間部に足を入れた後、ベルト状部４４０に足を入れることにより、足に靴Ａ３を装着する。靴Ａ３を履く際には、ベルト状部４４０を緩めた状態にしておくことが好ましい。靴Ａ３を履いた状態では、足はベルト状部４４０に挿通した状態となっていて、ベルト状部４４０における底部４４２ａと、側部４４２ｂ及びもう一方の側部（図示せず）が足に接触した状態となっている。また、踵用ベルト部２３０は、踵に係止させる。靴Ａ３内に足を配置したら、ベルト状部４４０の締付け具合を調整して、ベルト状部４４０が足にぴったりと接触するようにする。靴Ａ３を履いた状態では、図１０に示すような状態となる。つまり、このベルト本体部４４２により、足の足囲を一周するようにして足の甲の位置と土踏まずの位置を直接包んだ状態とし、該ベルト状部４４０が挿通穴２２４ａ及び該挿通穴２２４ａと対をなすもう一方の挿通穴に挿通された状態となっていることによって、結果として、足を甲革部２２０に固定する構造となっている。
【００７３】
本実施例の靴Ａ３によれば、上記ベルト状部４４０と踵用ベルト部２３０が設けられているので、該ベルト状部４４０と、踵用ベルト部２３０により足を固定することになり、甲革部２２０が足にぴったりとフィットしなくとも、適切に足を固定することが可能となる。これにより、甲革部２２０が足に対して大きめであっても、適切に足を固定することが可能となる。また、甲革部２２０を大きめにしておくことができるので、成長期の人間が使用する場合でも、買い換える頻度が多くなることがない。
【００７４】
また、本実施例の靴においては、既存の靴製造設備をそのまま利用できるので、新たな設備投資が必要ないという利点がある。
【００７５】
次に、本発明の履き物としての第４実施例の靴Ａ４について説明する。第４実施例における靴Ａ４は、上記第１実施例の靴Ａ１と略同様の構成であるが、甲革部に１つの挿通穴が設けられ、ベルト状部の一方の端部が該挿通穴に挿通され、また、他方の端部は甲革部における該挿通穴が設けられた側とは反対の側に固着されている点が異なる。
【００７６】
すなわち、第４実施例の靴Ａ４は、図１１、図１２に示すように、靴本体５０５と、ベルト状部５４０と、中敷き部５５０と、を有している。
【００７７】
ここで、靴本体５０５の構成は、上記第１実施例における靴本体５と同様の構成であるが、ベルト状部５４０を挿通するための挿通穴５２４が１つのみ設けられている点が異なる。
【００７８】
つまり、靴本体５０５は、底部５１０と、中底部５１５と、甲革部５２０と、を有している。
【００７９】
ここで、底部５１０は、いわゆる靴底を構成するものであり、つま先位置から踵位置まで形成されている。また、中底部５１５は、靴の内側の底部を構成するものである。
【００８０】
また、甲革部５２０は、該底部５１０上に設けられていて、靴を履いた状態では、中底部５１５上の足をつま先位置から踵位置にまでカバーする機能を有している。この甲革部５２０をつま先位置側から踵位置側にかけて複数の領域に分けて捉えると、つま先位置領域５２２ａと、甲位置領域５２２ｂと、踝（くるぶし）位置領域５２２ｃと、踵位置領域５２２ｄとから構成されているといえる。靴Ａ４において、踵を保持する部分、つまり、中底部５１５の踵位置と甲革部５２０の踵位置領域５２２ｄとが上記特許請求の範囲における踵保持部に当たる。また、この甲革部５２０には、靴紐としての紐部５４６が設けられている。
【００８１】
また、この甲革部５２０には、ベルト状部５４０を挿通するための挿通穴５２４が設けられている。つまり、甲革部５２０における甲位置領域５２２ｂの上部側の側部に挿通穴５２４が設けられている。なお、上記第１実施例では、一対の挿通孔が設けられているのに対して、本実施例では、１つの挿通孔が設けられている。
【００８２】
また、ベルト状部５４０は、ベルト状を呈し、その大部分が靴Ａ４の内部に設けられている。このベルト状部５４０は、ベルト本体部５４２と、第１固着手段５４６とを有している。このベルト本体部５４２は、平面状を呈する底部５４２ａと、該底部５４２ａの両側から立設した側部５４２ｂ、５４２ｃと、側部５４２ｂの端部から連設された先端部５４２ｄとを有している。側部５４２ｂと側部５４２ｃは、底部５４２ａから上側に行くに従い幅狭となる形状を呈している。また、先端部５４２ｄは、帯状を呈している。このベルト本体部５４２は、全体に一体に構成されている。また、該先端部５４２ｄの裏側、つまり、挿通穴５２４から外部に露出した先端部５４２ｄを下方へ折り返した場合の甲革部５２０側の面には、第１固着手段５４６が設けられている。また、甲革部５２０における挿通穴５２４より下方の外側の面には、第２固着手段５４８が設けられている。この第１固着手段５４６と第２固着手段５４８とは、例えば、一方の固着手段がフックテープとループテーブルのうちの一方で、他方の固着手段が他方となる。この第１固着手段と第２固着手段とで固着手段が構成される。つまり、先端部５４２ｄを第２固着手段５４８側に押しつけることにより、先端部５４２ｄが甲革部５２０に固着される。
【００８３】
また、このベルト本体部５４２の側部５４２ｃの上端部分は甲革部５２０に固着されている。例えば、側部５４２ｃの上端部分と甲革部５２０の甲位置領域５２２ｂの上部側の側部とを縫いつけることにより、ベルト本体部５４２の端部と甲革部５２０とが固着されている。また、ベルト本体部５４２においては、底部５４２ａと、側部５４２ｂ、５４２ｃとは靴本体５０５内に存在するが、先端部５４２ｄは外部に露出した状態となっている。
【００８４】
このベルト状部５４０の甲革部５２０への装着の仕方としては、ベルト状部５４０を靴本体５０５内に配置した状態で、側部５４２ｃの上端部分と甲革部５２０とを固着させるとともに、ベルト本体部５４２の先端部５４２ｄを挿通穴５２４から露出させる。
【００８５】
なお、ベルト状部５４０は、上記のような構成であるとしたが、帯状形状を呈した形状のものであればよい。ただし、足との接触面積を大きくするためには、上述した形状であることが好ましい。
【００８６】
また、中敷き部５５０は、シート状を呈し、靴Ａ４の内部に設けられている。つまり、この中敷き部５５０は、足型を呈し、靴Ａ４の内部にぴったりとはまりこむ形状を呈している。この中敷き部５５０は、通常の中敷きと同様の構成である。なお、この中敷き部５５０は、靴Ａ４に装着された状態では、ベルト本体部５４２の底部５４２ａの上に積層した状態で設けられる。つまり、中敷き部５５０は、ベルト状部５４０に挿通した状態で靴Ａ４内に設けられている。
【００８７】
上記構成の靴Ａ４の使用状態について説明する。靴Ａ４を履く場合には、従来からの靴と同様に、甲革部５２０の開口部Ｋに足を入れた後、ベルト状部５４０により形成される空間内にも足を入れることにより、足に靴Ａ４を装着する。靴Ａ４を履く際には、ベルト状部５４０を緩めた状態にしておくことが好ましい。靴Ａ４を履いた状態では、ベルト状部５４０に挿通されている中敷き部５５０と、ベルト状部５４０における側部５４２ｂ、５４２ｃとが、足に接触した状態となっている。靴Ａ４内に足を配置したら、先端部５４２ｄを引っ張って調整することによりベルト状部５４０による締付け具合を調整して、ベルト状部５４０が足にぴったりと接触するようにする。そして、先端部５４２ｄを適切な位置で甲革部５２０側に固着させる。
【００８８】
つまり、このベルト本体部５４２と甲革部５２０の一部とにより、足の足囲を一周するようにして足の甲の位置と土踏まずの位置を直接包んだ状態とし、該ベルト状部５４０の一方の端部が甲革部５２０に固着され、また、他方の端部が挿通穴５２４に挿通された状態となっていることによって、結果として、足を甲革部５２０に固定する構造となっている。また、足の踵側は、甲革部５２０における踵位置領域５２２ｄにより固定されるので、靴Ａ４によれば、足は、ベルト状部５４０と、靴Ａ４の踵部分により固定されることになる。
【００８９】
本実施例の靴Ａ４によれば、上記ベルト状部５４０が設けられているので、該ベルト状部５４０と、靴Ａ４の踵部分により足を固定することになり、個人差や右足と左足の差異があっても適切に足を固定することができる。また、甲革部５２０で足のつま先側を固定する必要がなく、甲革部５２０の甲の高さや、甲革部５２０のつま先側の形状が足にぴったり接しなくてもよく、甲革部５２０のつま先側は若干大きめにしておくことができるので、足のつま先に傷害が生じるおそれがない。また、甲革部５２０のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。
【００９０】
また、上記のように、足のつま先側は、ベルト状部５４０により固定され、甲革部５２０により固定する必要がないので、甲革部５２０のつま先側（特に、つま先位置領域５２２ａ）をソフトで伸縮性に富む素材で形成することが可能となる。甲革部５２０のつま先側をソフトで伸縮性に富む素材とすることにより、足のつま先に傷害が生じるのを防止することができる。
【００９１】
また、本実施例の靴Ａ４によれば、靴の軽量化を図ることも可能となる。つまり、従来の靴における底部は、甲革部とともに足を包み込む目的があるため、底部も甲革部との固着強度等の点から所定の強度を必要とし、これによりある程度の重量を必要としたが、本実施例の靴Ａ４によれば、底部５１０は甲革部５２０とそれほど強い固着強度を要せず、これにより、底部５１０の重量も極限にまで軽量化することが可能となる。
【００９２】
本実施例の靴によれば、上記のように、靴のホールド性が高く、軽量化を図ることができるので、通常の靴は勿論、陸上競技等の競技用靴にも適している。
【００９３】
また、本実施例の靴においては、既存の靴製造設備をそのまま利用できるので、新たな設備投資が必要ないという利点がある。
【００９４】
なお、上記の説明において、ベルト状部４０、２４０、４４０、５４０における固着手段としては、フックテープとループテープを例に取って説明したが、他の固着手段を用いてもよい。他の固着手段としては、ホック等が考えられる。
【００９５】
また、上記第１実施例、第２実施例、第４実施例において、中敷き部は、ベルト状部に挿通した状態であるとして説明したが、中敷き部はベルト状部の下側に配置してもよい。また、中敷き部は省略してもよい。
【００９６】
また、上記第１実施例において、図１〜図４等においては、留め具４４は靴の右側に設けられ、ベルト状部４０における先端部４２ｄの端部は靴の左側を向くように構成されているが、他の靴はこれと対称にするのが好ましい。つまり、図１〜図４に示す靴は右足用の靴であるが、左足用の靴では、これと対称にして、留め具４４は靴の左側に設けられ、ベルト状部４０における先端部４２ｄの端部は靴の右側を向くように構成する。つまり、ベルト状部を締める際には、先端部をともに内側に引っ張ることになる。また、上記の例とは逆の構成としてもよい。つまり、右足用の靴については、留め具４４は靴の左側に設けられ、ベルト状部４０における先端部４２ｄの端部は靴の右側を向くように構成し、左足用の靴については、留め具４４は靴の右側に設けられ、ベルト状部４０における先端部４２ｄの端部は靴の左側を向くように構成する。この場合には、ベルト状部を締める際には、先端部をともに外側に引っ張ることになる。なお、これらの点は、上記第３実施例においても同様である。
【００９７】
また、上記第４実施例において、図１１、図１２に示す靴は左足用の靴であり、先端部５４２ｄは左側に引っ張る構成となっているが、右足用の靴については、左右対称の構成として、靴の左側においてベルト本体部の端部を甲革部に固定し、靴の右側において先端部を露出させて、先端部を右側に引っ張る構成とするのが好ましい。また、上記の例とは逆の構成としてもよい。つまり、左足用の靴については、靴の左側においてベルト本体部の端部を甲革部に固定し、靴の右側において先端部を露出させて、先端部を右側に引っ張る構成とし、右足用の靴については、靴の右側においてベルト本体部の端部を甲革部に固定し、靴の左側において先端部を露出させて、先端部を左側に引っ張る構成とする。
【００９８】
【発明の効果】
本発明に基づく履き物によれば、ベルト状部と、踵保持部等の踵を保持する手段を有しているので、これらにより足を固定することができ、個人差や右足と左足の差異があっても適切に足を固定することができる。また、甲革部で足のつま先側を固定する必要がなく、甲革部の甲の高さや、甲革部のつま先側の形状が足にぴったり接しなくてもよく、甲革部のつま先側は若干大きめにしておくことができるので、足のつま先に傷害が生じるおそれがない。また、甲革部のつま先側は若干大きめにしておくことができるので、成長期の人間が使用する場合でも、買い換える頻度が多くなることがない。また、買い換え頻度を少なくするために若干大きめの靴を購入しても、適切に足を固定するので、使い勝手が悪くなることがない。また、上記のように、足のつま先側は、ベルト状部により固定され、甲革部により固定する必要がないので、甲革部のつま先側をソフトで伸縮性に富む素材で形成することが可能となる。甲革部のつま先側をソフトで伸縮性に富む素材とすることにより、足のつま先に傷害が生じるのを防止することができる。
【図面の簡単な説明】
【図１】本発明の第１実施例に基づく靴の構成を示す側面図である。
【図２】本発明の第１実施例に基づく靴の構成を示す一部破断斜視図である。
【図３】本発明の第１実施例に基づく靴の構成を示す平面図である。
【図４】図３におけるＷ−Ｗ断面図である。
【図５】ベルト状部の構成を示す斜視図である。
【図６】本発明の第１実施例に基づく靴の使用状態を示す側面図である。
【図７】ベルト状部の他の例の構成を示す斜視図である。
【図８】本発明の第２実施例に基づく靴の構成を示す側面図である。
【図９】本発明の第２実施例に基づく靴の構成を示す図であり、（ａ）はその斜視図であり、（ｂ）は靴本体の構成を示し斜視図である。
【図１０】本発明に基づく第３実施例の靴の構成を示す側面図である。
【図１１】本発明の第４実施例に基づく靴の構成を示す側面図である。
【図１２】図１１におけるＺ−Ｚ断面図である。
【符号の説明】
Ａ１、Ａ２、Ａ３、Ａ４　靴
５、１０５、２０５、５０５　靴本体
２０、１２０、２２０、５２０　甲革部
４０、１４０、２４０、３４０、４４０、５４０　ベルト状部
４２、１４２、２４２、３４２、４４２、５４２　ベルト本体部
４６、５４６、５４８　固着手段
【図１】
2004049738.tif 000003
【図２】
2004049738.tif 000004
【図３】
2004049738.tif 000005
【図４】
2004049738.tif 000006
【図５】
2004049738.tif 000007
【図６】
2004049738.tif 000008
【図７】
2004049738.tif 000009
【図８】
2004049738.tif 000010
【図９】
2004049738.tif 000011
【図１０】
2004049738.tif 000012
【図１１】
2004049738.tif 000013
【図１２】
2004049738.tif 000014